(57)【要約】【課題】フロント部の両側に折畳み出来るように取付けたツルが、メガネを掛ける際の開いた状態から、バネ蝶番に備わっているバネ力の作用下においてさらに外方向へ僅かに押し開くことが出来るツルのバネ蝶番用バネケースであって、該バネケースが腐食しない材質から成り、何時までもスムーズな開閉操作が出来るバネ蝶番用バネケースの提供。【解決手段】バネケース６の材質をセラミック又はエンジニアプラスチックとし、該バネケース６に形成してヨロイ側蝶片と互いに係合すると共に軸ネジにて連結される蝶片１１ｂには金属製のネジワッシャ１４を取付けている。【選択図】        図３
2005049381.tif 000002
【特許請求の範囲】
【請求項１】
フロント部の両側に折畳み出来るように取付けたツルが、メガネを掛ける際の開いた状態から、バネ蝶番に備わっているバネ力の作用下においてさらに外方向へ僅かに押し開くことが出来るツルのバネ蝶番用バネケースにおいて、該バネケースの材質をセラミック又はエンジニアプラスチックとし、該バネケースに形成してヨロイ側蝶片と互いに係合すると共に軸ネジにて連結される蝶片には金属製のネジワッシャを取付けたことを特徴とするメガネフレームツルのバネ蝶番用バネケース。
【発明の詳細な説明】
【０００１】
【発明の属する技術分野】
本発明はメガネフレームのツルを折畳み可能に連結すると共に、開いた状態からはバネ力が付勢されて外方向へ僅かに開くことが出来るようにしたメガネフレームツルのバネ蝶番用バネケースに関するものである。
【０００２】
【従来の技術】
ツルが開いた状態から外方向へ僅かに押し開くことが出来るように機能する継手はバネ蝶番と称され、メガネフレームのツル連結手段として多用されている。特開２００１−２９０１０８号に係る「連結構造」はメガネフレームのテンプルとヨロイとを相対的に回動可能に連結するもので、テンプルの一端に二又に分岐させて形成した一対の片体を設けて水平方向に間隙を確保し、各片体に夫々孔を穿設すると共に、各片体に対向する溝をテンプルの長手方向に沿って延設しており、この対向する溝間に付勢部材を保持され、付勢部材の付勢力によってヨロイに対して付勢される移動部材を付勢部材に係着し、テンプルの間隙に移動可能に位置させている。
【０００３】
このように、開いた状態のツルを戻し方向へのバネ力を付勢して外方向へ押し開くことが出来るように構成し、その為にコイルバネを用いている。すなわち、コイルバネを圧縮変形させることでバネ力を発生しているが、その為に上記コイルバネを伸縮変形させる摺動部材が必要となっている。そこで、ゴミの介入やサビの発生でこの摺動部材の摺動に支障をきたす場合、ツルの開き操作がスムーズに機能しないことになる。
【０００４】
図５には最も基本的なバネ蝶番と称される継手構造を示している。すなわち、該バネ蝶番の基本的な考えは、ヨロイ（イ）には固定蝶片（ロ）をロウ付け固定し、他方の蝶片を摺動蝶片（ハ）として一定距離の摺動を許すことによって外方向への開きをツル（ニ）に与えることが出来る。
【０００５】
ツル（ニ）にはガイド溝が形成され、摺動蝶片（ハ）はガイド溝を案内として摺動する訳であるが、上記摺動蝶片（ハ）を構成するバネケース（ホ）の内部空間（ヘ）にはコイルバネ（ト）が収まっていて、ツル（ニ）を外ヘ開く際にはバネケース（ホ）が固定蝶片（ロ）側へ引き寄せられて圧縮される。該コイルバネ（ト）はバネケース（ホ）の内部空間入口に設けられてツル（ニ）の係止溝（チ）に係止したツメ（リ）に当たり、該ツメ（リ）はストッパーとして機能している。その結果、コイルバネ（ト）の復元力がツル（ニ）に作用して、該ツル（ニ）を元の位置に戻そうとする。
【０００６】
ところで、上記バネケース（ホ）にコイルバネ（ト）を内臓した蝶番構造は同図に示すごとくツル（ニ）に設けているガイドに沿ってスライドすることで機能するが、該スライド機能が損なわれて故障し易く、一旦故障すれば修理し難い等の問題もある。コイルバネ（ト）及び該コイルバネ（ト）の中心穴に挿入した芯金（ヌ）の円錐形頭部を押し込んでツメ（リ）に係止するならば、バネケース（ホ）の内部空間（ヘ）から該ツメ（リ）並びにコイルバネ（ト）及び芯金（ヌ）を取り外すことが出来ない。
【０００７】
ところで、上記スライド式バネ蝶番のバネケース（ホ）は銅合金を材質として使用されている。一方、近年の金属製メガネフレームでは軽くてバネ性に優れたチタン材が主流と成っているが、上記銅合金のバネケース（ホ）との間に電位差が発生する。そして銅合金から成るバネケース（ホ）が低電位となって腐食されるといった現象が生じる。表面が腐食することで外観が損なわれることは言うまでも無く、腐食生成物がケース内部に蓄積されてツルに沿ってのスライド機能が損なわれ、バネ蝶番としての作用が喪失してしまう。
【０００８】
【発明が解決しようとする課題】
このように、スライド式バネ蝶番のバネケースには上記のごとき問題がある。本発明が解決しようとする課題はこの問題点であって、何時までもスムーズな開閉操作が出来るように、バネケースが腐食しない材質で構成したメガネフレームツルのバネ蝶番用バネケースを提供する。
【０００９】
【課題を解決する為の手段】
本発明に係るメガネフレームツルのバネ蝶番は、そのバネケースが腐食しないようにセラミックを使用している。又、エンジニアプラスチックが使用される。バネ蝶番としての基本的な構造は従来と共通し、ツルの内側に設けたガイドに沿ってバネケースはスライド可能に取付けられ、このバネケースの内部空間には芯金を挿通したコイルバネを収容し、芯金先端に成形した頭部はバネケース内に収容されると共に、ツルに設けた溝に係止した止金具に当接している。
【００１０】
一方、該バネケースはヨロイ側にロウ付けされ、又はヨロイ端に設けている蝶片と軸ネジにて連結される蝶片を形成している。そして、軸ネジが螺合する為のネジワッシャを取着し、上記軸ネジはネジワッシャに螺合してバネケースの蝶片はヨロイ側蝶片と連結している。ここで、バネ蝶番としての具体的な構造は限定しないことにする。以下本発明に係る実施例を図面に基づいて詳細に説明する。
【００１１】
【実施例】
図１は本発明のバネ蝶番を用いてツルを連結した実施例である。メガネフレームとしての基本的な形態は同じであって、両リム１，１は連結部材２によってロウ付け・連結され、そしてリム外側にはヨロイ３，３がロウ付けされている。該ヨロイ３にはツル４が折畳み出来るように取付けられているが、ツル４の継手としてバネ蝶番５が用いられている。バネ蝶番５を介して連結されたツル４は同図に示すツル４の開き度をさらに外方向へ押し開くことが出来、押し開く際にはバネ蝶番５のバネケース６に収容されているコイルバネを圧縮し、このバネ力が付勢される。
【００１２】
図２はバネ蝶番５の内部構造を示している。バネケース６はツル４の内側に設けているガイドに沿ってスライド可能に取付けられている。そして、バネケース内にはコイルバネ７を収容し、コイルバネ７の中心穴には芯金８が挿通すると共に芯金８の頭部９は概略円錐形を成して、コイルバネ７の先端に位置している。この円錐形頭部９は止金具１０に当って上記コイルバネ７を僅かに圧縮させた状態にある。
【００１３】
しかも、ツル４を外方向へ押し開くならばバネケース６はフロント部側（ヨロイ側）へスライドしてコイルバネ７はさらに圧縮される。この圧縮に伴うバネ力はツル４を元の位置（同図の位置）へ戻すように作用する為に、ツル４は顔の側面を適度な力で押圧し、メガネを安定して掛けることが出来る。
【００１４】
ところで、このようなバネ蝶番としての機能は従来と同じであって、本発明のバネ蝶番５はそのバネケース６をセラミックで構成している。例えば、アルミナ、ジルコニア、窒化アルミ、炭化ケイ素等が用いられる。又エンジニアプラスチックを使用することも出来、例えばポリアミド、ポリベンゾイミダゾール、４フッ化エチレン、超高分子ポリエチレン等が使用される。
【００１５】
このような、セラミック及びエンジニアプラスチックを材質としてバネケース６を成形することは可能であり、バネケース６としての強度も十分である。そして、電位差が発生して腐食することもなく、何時までもツルのガイドに沿ってのスライド機能が損なわれないので、バネ蝶番５として良好に機能することが出来る。しかし、このバネケース６は端部に蝶片１１が設けられ、この蝶片１１はヨロイ先端に形成している蝶片と軸ネジを介して連結される。
【００１６】
そして、バネケース側に設けている蝶片１１はヨロイ側蝶片と互いに係合して軸ネジが螺合するネジ穴を有している。しかし、セラミックにネジ穴を設ける場合、締め付けられるネジ山には非常に高い応力が発生し、該ネジ山の強度は不足し、該ネジ山は破損してしまう。同じように、エンジニアプラスチックを材質としたバネケースの蝶片ネジ穴の場合もその強度が不足する。
【００１７】
そこで、本発明では蝶片１１にネジワッシャを取付け、このネジワッシャに軸ネジを螺合する構造としている。図３にはバネケース６を単独で示しているように、ツル内側に形成したガイドレールに遊嵌してスライドするようにガイド１２ａ，１２ｂを両側に設け、そして対向する蝶片１１ａ，１１ｂを両側に設けている。この両蝶片間にヨロイ側の蝶片が嵌入して組合され、そして軸ネジによって連結される。一方側蝶片１１ｂの外側面には凹部座１３が形成され、該凹部座１３にはネジワッシャが嵌合する。
【００１８】
図４はネジワッシャ１４の具体例であり、リング状の円形ワッシャの外周１５には切欠き１６を形成して、上記凹部座１３に嵌合すると共に回転しないように切欠き１６にて阻止される。その為に凹部座１３の内周面１７は完全な円形ではなく、切欠き１６が係合する平坦な当り面１８を有し、該当り面１８に切欠き１６が係合することでネジワッシャ１４に軸ネジが螺合する際に共回りすることはしない。そこで、ネジワッシャ１４としては、四角、六角等、色々な形状が使用される。勿論、ネジワッシャ１４の中心にはネジ穴１９を有している。
【００１９】
以上述べたように、本発明のバネ蝶番用バネケースはセラミック又はエンジニアプラスチックを材質とし、ヨロイ側蝶片と噛み合う蝶片には金属製ネジワッシャを取付けたものであり、次のような効果を得ることが出来る。
【００２０】
【発明の効果】
本発明に係るバネ蝶番用バネケースはセラミック又はエンジニアプラスチックを材質として構成されている。従って、チタン製メガネフレームの場合であっても電位差によってバネケースが腐食することはなく、ツルに設けたガイドに沿ってスライドする機能が損なわれることはない。そして、外観が腐食にて汚れることもなく、該バネケースは何時までも奇麗な状態が保たれる。
【００２１】
そして、バネケースに設けた蝶片とヨロイ側蝶片は軸ネジにて連結されるが、バネケースの蝶片には金属製のネジワッシャが取付けられ、該ネジワッシャのネジ穴に軸ネジが螺合して締め付けられる。すなわち、セラミック及びエンジニアプラスチックの脆さをネジワッシャにて補っている為に、従来の金属製バネ蝶番の場合と同じく軸ネジを十分に締付けることが出来る。
【図面の簡単な説明】
【図１】バネ蝶番にてツルを連結したメガネフレームの具体例。
【図２】バネ蝶番の断面構造図。
【図３】本発明に係るバネケースの具体例。
【図４】バネケースに取付けられるネジワッシャの具体例。
【図５】従来のバネ蝶番の内部構造。
【符号の説明】
１  リム
２  連結部材
３  ヨロイ
４  ツル
５  バネ蝶番
６  バネケース
７  コイルバネ
８  芯金
９  頭部
１０  止金具
１１  蝶片
１２  ガイド
１３  凹部座
１４  ネジワッシャ
１５  外周
１６  切欠き
１７  内周面
１８  当り面
１９  ネジ穴
【図１】
2005049381.tif 000003
【図２】
2005049381.tif 000004
【図３】
2005049381.tif 000005
【図４】
2005049381.tif 000006
【図５】
2005049381.tif 000007